(57)【要約】【課題】収納箱と蓋との間における導通の信頼性を向上させることができるキャビネットを提供する。【解決手段】キャビネット１は、前面に開口部３００が形成され電気装置を収納する収納箱２、及び開口部３００を覆う蓋５を有する。キャビネット１は、収納箱２に設けられたねじ孔（貫通孔４３）に、蓋５に設けられたねじ貫通孔（貫通孔７４）を介してねじ９が結合することで、収納箱２に蓋５が取り付けられる。収納箱２は、蓋５との対向面から突出する第１導電部（鍔部４２）を有し、第１導電部は、ねじ９を通す第１挿通孔（貫通孔７４）を有する。蓋５は、収納箱２との対向面から突出する第２導電部（第１鍔部７１）を有し、第２導電部は、ねじ９を通す第２挿通孔（貫通孔７４）を有する。収納箱２に蓋５が取り付けられることで、第１導電部と第２導電部とが互いに接触し、収納箱２と蓋５とが電気的に接続される。【選択図】図３
2016219631.tif 000002
【特許請求の範囲】
【請求項１】
一面に開口部が形成され電気装置を収納する金属製の収納箱、及び前記開口部を覆う金属製の蓋を有し、前記収納箱に設けられたねじ孔に、前記蓋に設けられたねじ貫通孔を介してねじが結合することで、前記収納箱に前記蓋が取り付けられるキャビネットであって、
前記収納箱は、前記蓋との対向面から突出する第１導電部を有し、前記第１導電部は、前記ねじを通す第１挿通孔を有し、
前記蓋は、前記収納箱との対向面から突出する第２導電部を有し、前記第２導電部は、前記ねじを通す第２挿通孔を有し、
前記収納箱に前記蓋が取り付けられることで、前記第１導電部と前記第２導電部とが互いに接触し、前記収納箱と前記蓋とが電気的に接続される
ことを特徴とするキャビネット。
【請求項２】
前記電気装置は、蓄電池モジュール、及び前記蓄電池モジュールの充放電を制御する充放電装置を含む
ことを特徴とする請求項１記載のキャビネット。
【請求項３】
前記収納箱は、金属製の箱本体と、前記第１導電部を有し前記箱本体と電気的に接続される金属製の第１接触部材とを有し、
前記蓋は、金属製の蓋本体と、前記第２導電部を有し前記蓋本体と電気的に接続される金属製の第２接触部材とを有する
ことを特徴とする請求項１または２記載のキャビネット。
【請求項４】
前記第２接触部材は、前記蓋本体を挟む第１鍔部及び第２鍔部と、前記第１鍔部と前記第２鍔部とを繋ぐように形成され前記ねじを通す筒部とを有し、
前記第１鍔部は、前記第２導電部を構成し、
前記第２鍔部は、一面が前記蓋本体の一面と同じ面上に並ぶ
ことを特徴とする請求項３記載のキャビネット。
【請求項５】
前記収納箱は、前記開口部の縁の全周にわたって前記開口部から離れる向きに突出して形成され前記蓋と対向し前記第１導電部が設けられるフランジを有し、
前記フランジと前記蓋との間にパッキンが設けられ、
前記パッキンは、前記第１導電部及び前記第２導電部を通し、前記第１導電部及び前記第２導電部を囲う導電部貫通孔を有する
ことを特徴とする請求項１〜４のいずれか１項に記載のキャビネット。
【請求項６】
蓄電池モジュールと、
前記蓄電池モジュールの充放電を制御する充放電装置と、
一面に開口部が形成され前記蓄電池モジュール及び前記充放電装置を収納する金属製の収納箱、及び前記開口部を覆う金属製の蓋を有し、前記収納箱に設けられたねじ孔に、前記蓋に設けられたねじ貫通孔を介してねじが結合することで、前記収納箱に前記蓋が取り付けられるキャビネットとを備え、
前記収納箱は、前記蓋との対向面から突出する第１導電部を有し、前記第１導電部は、前記ねじを通す第１挿通孔を有し、
前記蓋は、前記収納箱との対向面から突出する第２導電部を有し、前記第２導電部は、前記ねじを通す第２挿通孔を有し、
前記収納箱に前記蓋が取り付けられることで、前記第１導電部と前記第２導電部とが互いに接触し、前記収納箱と前記蓋とが電気的に接続される
ことを特徴とする蓄電システム。
【発明の詳細な説明】
【技術分野】
【０００１】
本発明は、一般にキャビネット及びこれを用いた蓄電システム、より詳細には電気装置を収納するキャビネット及びこれを用いた蓄電システムに関する。
【背景技術】
【０００２】
従来、電気装置を収納した導電性筐体（収納箱）と、導電性の化粧パネル（蓋）とを導通させる技術が知られている（例えば、特許文献１参照）。特許文献１では、化粧パネルにおけるねじの頭部と対向する位置に平座金が溶接されており、平座金及び化粧パネルをねじによって筐体に取り付けることで、ねじを介して化粧パネルと筐体とを導通させている。
【先行技術文献】
【特許文献】
【０００３】
【特許文献１】特開平６−２１５８１２号公報
【発明の概要】
【発明が解決しようとする課題】
【０００４】
特許文献１では、ねじの頭部及び平座金は外部に露出しているため、ねじの頭部と平座金との間に異物などが挟まりやすく、ねじの頭部と平座金とが接触不良となり、筐体と化粧パネルとの導通が得られないおそれがあった。そこで、筐体（収納箱）と化粧パネル（蓋）との間における導通の信頼性の向上が望まれていた。
【０００５】
本発明は、上記事由に鑑みてなされており、その目的は、収納箱と蓋との間における導通の信頼性を向上させることができるキャビネット及びこれを用いた蓄電システムを提供することにある。
【課題を解決するための手段】
【０００６】
本発明のキャビネットは、一面に開口部が形成され電気装置を収納する金属製の収納箱、及び前記開口部を覆う金属製の蓋を有し、前記収納箱に設けられたねじ孔に、前記蓋に設けられたねじ貫通孔を介してねじが結合することで、前記収納箱に前記蓋が取り付けられるキャビネットであって、前記収納箱は、前記蓋との対向面から突出する第１導電部を有し、前記第１導電部は、前記ねじを通す第１挿通孔を有し、前記蓋は、前記収納箱との対向面から突出する第２導電部を有し、前記第２導電部は、前記ねじを通す第２挿通孔を有し、前記収納箱に前記蓋が取り付けられることで、前記第１導電部と前記第２導電部とが互いに接触し、前記収納箱と前記蓋とが電気的に接続されることを特徴とする。
【０００７】
本発明の蓄電システムは、蓄電池モジュールと、前記蓄電池モジュールの充放電を制御する充放電装置と、一面に開口部が形成され前記蓄電池モジュール及び前記充放電装置を収納する金属製の収納箱、及び前記開口部を覆う金属製の蓋を有し、前記収納箱に設けられたねじ孔に、前記蓋に設けられたねじ貫通孔を介してねじが結合することで、前記収納箱に前記蓋が取り付けられるキャビネットとを備え、前記収納箱は、前記蓋との対向面から突出する第１導電部を有し、前記第１導電部は、前記ねじを通す第１挿通孔を有し、前記蓋は、前記収納箱との対向面から突出する第２導電部を有し、前記第２導電部は、前記ねじを通す第２挿通孔を有し、前記収納箱に前記蓋が取り付けられることで、前記第１導電部と前記第２導電部とが互いに接触し、前記収納箱と前記蓋とが電気的に接続されることを特徴とする。
【発明の効果】
【０００８】
本発明では、収納箱と蓋との間における導通の信頼性を向上させることができるという効果がある。
【図面の簡単な説明】
【０００９】
【図１】実施形態のキャビネット及び蓄電システムにおける蓋を取り外した状態の斜視図である。
【図２】図２Ａは、実施形態のキャビネット及び蓄電システムの正面図である。図２Ｂは、実施形態のキャビネット及び蓄電システムの側面図である。
【図３】実施形態のキャビネットにおける図２ＡのＡ−Ａ断面図である。
【図４】実施形態のキャビネットの変形例の一部を拡大した断面図である。
【発明を実施するための形態】
【００１０】
以下、本発明の実施の形態を図面に基づいて説明する。なお、下記の実施形態において説明する各図は、各構成要素の大きさや厚さそれぞれの比が必ずしも実際の寸法比を反映しているとは限らない。
（実施形態）
以下、本実施形態に係るキャビネット１について図１〜図３を参照して説明する。ただし、以下に説明する構成は本発明の一例にすぎない。本発明は、以下の実施形態に限定されず、本発明に係る技術的思想を逸脱しない範囲であれば、設計等に応じて種々の変更が可能である。なお、図１中の符号Ａ１は、キャビネット１の一部を拡大した図である。
【００１１】
本実施形態のキャビネット１は、収納箱２と蓋５とを備え電気装置１００を収納する金属製のキャビネットである。キャビネット１は、電気装置１００として蓄電池モジュール１０１及び充放電装置１０２を収納し、戸建て住宅に設けられる蓄電システム１０に用いられる。以下の説明で用いる方向は、図２Ａにおける上下方向を上下方向、図２Ａにおける左右方向を左右方向、図２Ｂにおける左右方向を前後方向と規定して説明する。
【００１２】
本実施形態のキャビネット１は、前面（図２Ｂにおける左側の面）に開口部３００が形成され蓄電池モジュール１０１及び充放電装置１０２を収納する金属製の収納箱２と、収納箱２の開口部３００を覆う金属製の蓋５とを備えている。蓋５は、丸頭ねじで構成されたねじ９を用いて収納箱２に取り付けられる。
【００１３】
複数個（３個）ある蓄電池モジュール１０１のそれぞれは、充電及び放電が可能な蓄電池を有している。蓄電池モジュール１０１は、直列又は並列に接続された複数の蓄電池（例えばリチウムイオン電池など）を有している。また、蓄電池モジュール１０１は、蓄電池のみ備える構成のほか、温度センサのようなセンサ類、蓄電池の特性データを格納したメモリ、蓄電池の充放電制御や異常監視を行う監視制御部、情報を伝送するための通信部などを備える構成でもよい。
【００１４】
充放電装置１０２は、複数個の蓄電池モジュール１０１と屋内配線との間に電気的に接続されて電力変換を行うパワーコンディショナで構成されており、蓄電池モジュール１０１の充放電を制御する。充放電装置１０２は、屋内配線を介して商用電源から供給される交流電力を直流電力に変換して蓄電池モジュール１０１を充電する。また、充放電装置１０２は、蓄電池モジュール１０１が出力する直流電力を交流電力に変換して電気負荷に供給する。
【００１５】
収納箱２は、前面に矩形状の開口部３００が設けられた直方体状の箱本体３を備えている。箱本体３は、例えば戸建て住宅などの建物の外壁に後面（開口部３００が設けられた前面と反対側の面）を対向させ、建物の外壁と後面との間に隙間を開けた状態で設置される。箱本体３は、複数個（３個）の蓄電池モジュール１０１と、充放電装置１０２とを収納する。この箱本体３は、箱型の台座１０４に載せられて、設置場所に設置される。なお、台座１０４の上面、下面及び後面はそれぞれが開口している。
【００１６】
箱本体３の内部空間は、床板３１１から天井板３１２まで形成された隔壁３１３によって、右側の第１収納室３２１と左側の第２収納室３２２とに分けられている。さらに、左側の第２収納室３２２は、箱本体３の内部空間において上下方向のほぼ中央に設けられた棚板３１４によって上側収納室３２３と下側収納室３２４とに分かれている。
【００１７】
第１収納室３２１には、充放電装置１０２が収納されている。充放電装置１０２は、電力変換を行う回路が形成された回路基板と、回路基板などの部材を収納する角筒状のカバー１０３とを有している。充放電装置１０２は第１収納室３２１における上側の位置に配置されている。
【００１８】
本実施形態では、第１収納室３２１において充放電装置１０２の下側のスペースが外部配線スペースであり、屋内配線と充放電装置１０２との間を電気的に接続する外部配線Ｗ１が引き回される。箱本体３の床板３１１には、上下方向に貫通した貫通孔３１５が設けられている。外部配線Ｗ１は、例えば台座１０４の後側の開口から台座１０４の内部に挿入され、床板３１１に設けられた貫通孔３１５を通して箱本体３内に導入される。そして、外部配線Ｗ１が充放電装置１０２に接続されることで、充放電装置１０２と屋内配線とが電気的に接続される。
【００１９】
第２収納室３２２の上側収納室３２３及び下側収納室３２４には、それぞれ、蓄電池モジュール１０１を収納可能な蓄電池収納スペースが設けられている。上側収納室３２３には、２つの蓄電池モジュール１０１が前後方向に並べて収納され、下側収納室３２４には、１つの蓄電池モジュール１０１が収納されている。また、上側収納室３２３及び下側収納室３２４のそれぞれには、２個の取付台３１６が左右方向に間隔を開けて配置されている。２個の取付台３１６は、板金をプレス加工して形成されている。蓄電池モジュール１０１は、２個の取付台３１６に跨がるように載せられた状態で、例えば蓄電池モジュール１０１に固定された金具を取付台３１６にねじなどで固定することによって、箱本体３に取り付けられている。そして、複数の蓄電池モジュール１０１のそれぞれは、内部配線Ｗ２を介して充放電装置１０２と電気的に接続されている。
【００２０】
また、箱本体３の上側には、屋根カバー１０５が取り付けられている。屋根カバー１０５は、下面が開口した扁平な直方体状であり、左右方向の寸法及び前後方向の寸法が箱本体３の天井板３１２とほぼ同じ寸法に形成されている。また、屋根カバー１０５は、箱本体３の天井板３１２の上面に設けられた操作表示器１０６を前方に露出させている。操作表示器１０６は、操作スイッチ１０７及び表示部１０８を備えている。操作スイッチ１０７は、例えば充放電装置１０２対して蓄電池モジュール１０１の放電の開始、停止などを指示する。表示部１０８は、蓄電池モジュール１０１の放電中、充電中を示す動作状態、充放電装置１０２のエラーコードなどを表示する。
【００２１】
また、図３に示すように、箱本体３は、開口部３００の全周にわたって前方に突出した側板部３０１と、側板部３０１の前端部から開口部３００から離れる向きに突出したフランジ３０２とを有している。そして、箱本体３の前板部３０３と側板部３０１とフランジ３０２とで、開口部３００の周囲に水切り溝３０４を形成している。
【００２２】
蓋５は、矩形板状の前板部６１、及び前板部６１の縁の全周から後方に突出した側板部６２を有する蓋本体６を備えている。蓋本体６は、前板部６１が収納箱２のフランジ３０２と前後方向に対向して開口部３００を覆い、側板部６２が箱本体３の水切り溝３０４を覆うように箱本体３にねじ９を用いて取り付けられる。
【００２３】
ここで、収納箱２は箱本体３に設けられた金属製の第１接触部材４を有し、蓋５は蓋本体６に設けられた金属製の第２接触部材７を有している。そして、蓋本体６が箱本体３に取り付けられることで第１接触部材４と第２接触部材７とが接触し、収納箱２と蓋５とが電気的に接続される。
【００２４】
具体的には、箱本体３のフランジ３０２には前後方向に貫通した複数の貫通孔３０５が形成されており、第１接触部材４は、貫通孔３０５に挿し込まれた状態で箱本体３に取り付けられている。第１接触部材４は、例えばナットで構成されており、貫通孔３０５を貫通する筒部４１と、筒部４１の前端部に設けられた鍔部４２とを備える。筒部４１は、前後方向に貫通した貫通孔４３を有しており、筒部４１の内周面にはねじ溝が形成されねじ９が結合される。鍔部４２は、筒部４１の前端部の全周にわたって貫通孔４３から離れる向きに突出しており、後面がフランジ３０２の前面と対向し、フランジ３０２の前面から突出している。そして、第１接触部材４は、かしめ、溶接など固定手段によって箱本体３のフランジ３０２に固定されており、箱本体３と電気的に接続されている。なお、第１接触部材４の鍔部４２が、収納箱２における蓋５との対向面から突出する第１導電部に相当する構成である。また、第１接触部材４の筒部４１に形成された貫通孔４３は、ねじ９が結合するねじ孔と、第１導電部が有しねじ９を通す第１挿通孔とを一体にした構成である。
【００２５】
蓋本体６の前板部６１には、箱本体３のフランジ３０２に設けられた各第１接触部材４と前後方向に対向する位置に貫通孔６３が形成されており、第２接触部材７は、貫通孔６３に挿し込まれた状態で蓋本体６に取付けられている。第２接触部材７は、例えばグロメット（grommet）で構成されており、蓋本体６の前板部６１を前後方向に挟む第１鍔部７１及び第２鍔部７２と、第１鍔部７１と第２鍔部７２とを前後方向に繋ぐ筒部７３とを一体に有する。筒部７３は、前後方向に貫通した貫通孔７４を有しており、ねじ９が通される。第１鍔部７１は、筒部７３の後端部の全周にわたって貫通孔７４から離れる向きに突出しており、前面が前板部６１の後面と対向し、前板部６１の後面から突出している。第２鍔部７２は、筒部７３の前端部の全周にわたって貫通孔７４から離れる向きに突出しており、外形寸法が第１鍔部７１よりも小さい。また、蓋本体６の前板部６１は、貫通孔６３の周部が他の部位よりも厚さが小さく段差が形成されており、この段差に第２鍔部７２が嵌まり込むことで、第２鍔部７２の前面と蓋本体６の前面とが略同じ面上に段差なく並ぶ。つまり、第２鍔部７２の前面と蓋本体６の前面とが面一となる。そして、第２接触部材７は、かしめによって第１鍔部７１と第２鍔部７２とで蓋本体６における貫通孔６３の周部を挟み込むようにして、蓋本体６に固定されており、蓋本体６と電気的に接続されている。なお、第２接触部材７の第１鍔部７１が、蓋５における収納箱２との対向面から突出する第２導電部に相当する構成である。また、第２接触部材７の筒部７３に形成された貫通孔７４は、ねじ９を通すねじ貫通孔と第２挿通孔とを一体にした構成である。
【００２６】
また、図１、図３に示すように、箱本体３のフランジ３０２の前面には、フランジ３０２の全周にわたってパッキン８が接着などの方法により取り付けられている。パッキン８は、複数の導電部貫通孔８１が形成されている。各導電部貫通孔８１は、フランジ３０２の前面から突出した鍔部４２（第１導電部）を通すように形成されており、鍔部４２の周りを囲う。
【００２７】
そして、ねじ９が蓋本体６に設けられた第２接触部材７の貫通孔７４を通り、箱本体３に設けられた第１接触部材４の貫通孔４３に結合されることで、蓋５が収納箱２に取り付けられる。これにより、フランジ３０２の前面から突出した鍔部４２と、蓋本体６の後面から突出した第１鍔部７１とが互いに接触する。第１接触部材４及び第２接触部材７は、金属で構成されているので、鍔部４２と第１鍔部７１とが接触することで、第１接触部材４と第２接触部材７とが電気的に接続される。また、第１接触部材４は、箱本体３と電気的に接続され、第２接触部材７は、蓋本体６と電気的に接続されている。したがって、ねじ９を用いて蓋本体６が箱本体３に取り付けられることによって、第１接触部材４と第２接触部材７とが接触し、蓋本体６と箱本体３とが電気的に接続、すなわち導通する。また、蓋本体６が箱本体３に取り付けられることによって、蓋本体６の前板部６１と箱本体３のフランジ３０２とでパッキン８が挟み込まれる。これにより、蓋本体６の前板部６１と箱本体３のフランジ３０２との隙間がパッキン８によって埋められ、前板部６１とフランジ３０２との隙間から箱本体３の内部に水が浸入することが抑制される。
【００２８】
このように、本実施形態のキャビネット１は、一面（前面）に開口部３００が形成され電気装置１００を収納する金属製の収納箱２、及び開口部３００を覆う金属製の蓋５を有する。そして、キャビネット１は、収納箱２に設けられたねじ孔（貫通孔４３）に、蓋５に設けられたねじ貫通孔（貫通孔７４）を介してねじ９が結合することで、収納箱２に蓋５が取り付けられる。収納箱２は、蓋５との対向面から突出する第１導電部（鍔部４２）を有し、第１導電部（鍔部４２）は、ねじ９を通す第１挿通孔（貫通孔７４）を有する。また、蓋５は、収納箱２との対向面から突出する第２導電部（第１鍔部７１）を有し、第２導電部（第１鍔部７１）は、ねじ９を通す第２挿通孔（貫通孔７４）を有する。そして、収納箱２に蓋５が取り付けられることで、第１導電部（鍔部４２）と第２導電部（第１鍔部７１）とが互いに接触し、収納箱２と蓋５とが電気的に接続される。
【００２９】
上記構成により、ねじ９を用いて蓋５を収納箱２に取り付けることで、収納箱２が備える鍔部４２と蓋５が備える第１鍔部７１とが接触し、収納箱２と蓋５との間における導通を確保することができる。また、蓋５を収納箱２に取り付けた状態では、収納箱２と蓋５との接触部である鍔部４２及び第１鍔部７１が露出しないように構成される。したがって、鍔部４２と第１鍔部７１との間に異物などが挟まれることが抑制され、鍔部４２と第１鍔部７１との接触不良が抑制される。これにより、収納箱２と蓋５との間における導通の信頼性が向上する。また、鍔部４２と第１鍔部７１との接触状態は、ねじ９によって保持されるので、鍔部４２と第１鍔部７１とが離れ収納箱２と蓋５との間が非導通状態となることが抑制される。
【００３０】
また、本実施形態のキャビネット１は、収納箱２の鍔部４２と蓋５の第１鍔部７１とを接触させることで、収納箱２と蓋５との導通を図る構成であるので、ねじ９は収納箱２及び蓋５と導通させる構成は必須ではない。したがって、ねじ９に防錆処理、緩み止め処理などを施すことが可能となる。また、蓋５を収納箱２に取り付けるのみで蓋５と収納箱２とを導通させることができるので、例えば蓋５と収納箱２とを電気的に接続する電線を繋ぐ作業が不要となり、施工性が向上する。また、蓋５の取り付け時に電線の繋ぎ忘れなどによって蓋５と収納箱２とが非導通状態となることが抑制される。さらに、蓋５と収納箱２とを繋ぐ電線が不要であるので、蓋５の取り外しも容易となる。
【００３１】
また、電気装置１００は、蓄電池モジュール１０１、及び蓄電池モジュール１０１の充放電を制御する充放電装置１０２を含む。蓄電池モジュール１０１、及び充放電装置１０２は、比較的大きい電力を取り扱う装置である。したがって、収納箱２と蓋５とを導通させる必要性が高く、収納箱２と蓋５との間における導通の信頼性が高い本実施形態のキャビネット１を用いることによる効果がより大きくなる。
【００３２】
また、収納箱２は、金属製の箱本体３と、第１導電部（鍔部４２）を有し箱本体３と電気的に接続される金属製の第１接触部材４とを有する。蓋５は、金属製の蓋本体６と、第２導電部（第１鍔部７１）を有し蓋本体６と電気的に接続される金属製の第２接触部材７とを有する。
【００３３】
上記構成により、箱本体３及び蓋本体６を、例えば機械的強度が高い部材（例えば鋼板など）で構成することが可能となる。また、第１接触部材４及び第２接触部材７を、導電性が高く、腐食、電食などが発生しにくい部材（例えば錫（Sn）でメッキされた真鍮、銅合金など）で構成することが可能となる。これにより、収納箱２及び蓋５の機械的強度を向上させ、収納箱２と蓋５との間における導通の信頼性をより向上させることを可能とする。
【００３４】
また、収納箱２及び蓋５の表面を塗装する場合、収納箱２と蓋５との接触部である鍔部４２及び第１鍔部７１の表面は、例えばマスキングテープなどでマスク処理され、塗装後にマスキングテープが取り外されることが望ましい。これにより、塗装時において鍔部４２及び第１鍔部７１との接触面に塗料が付着することを防止され、塗料による鍔部４２と第１鍔部７１との導通不良が抑制される。
【００３５】
また、第２接触部材７は、蓋本体６を挟む第１鍔部７１及び第２鍔部７２と、第１鍔部７１と第２鍔部７２とを繋ぐように形成されねじ９を通す筒部７３とを有する。第１鍔部７１は、第２導電部を構成し、第２鍔部７２は、一面（前面）が蓋本体６の一面（前面）と同じ面上に並ぶ。
【００３６】
すなわち、第２接触部材７の第２鍔部７２の前面と、蓋本体６の前板部６１の前面とは、段差なく面一となるように構成されている。上記構成により、ねじ９の頭部と、第２鍔部７２の前面及び前板部６１の前面との隙間が小さくなる。これにより、ねじ９の頭部と、前板部６１及び第２鍔部７２との隙間から水が浸入することが抑制される。
【００３７】
また、収納箱２は、開口部３００の縁の全周にわたって開口部３００から離れる向きに突出して形成され蓋５と対向し第１導電部が設けられるフランジ３０２を有する。フランジ３０２と蓋５との間にパッキン８が設けられ、パッキン８は、第１導電部（鍔部４２）及び第２導電部（第１鍔部７１）を通し、第１導電部（鍔部４２）及び第２導電部（第１鍔部７１）を囲う導電部貫通孔８１を有する。
【００３８】
上記構成により、開口部３００の外側の領域において、ねじ９による収納箱２と蓋５との結合が行われる。さらに、収納箱２と蓋５との接触部である鍔部４２及び第１鍔部７１の周囲は、パッキン８によって囲われている。これにより、ねじ９を伝って収納箱２の内部に水が浸入することが抑制され、防水性を向上させることを可能とする。さらに、パッキン８には、鍔部４２及び第１鍔部７１を通す導通部貫通孔８１が形成されているので、パッキン８が鍔部４２と第１鍔部７１とで挟まれることが抑制され、鍔部４２と第１鍔部７１との接触不良が抑制される。
【００３９】
また、開口部３００の周囲には水切り溝３０４が形成されており、蓋本体６の側板部６２と箱本体３との隙間から侵入した水は、水切り溝３０４によって受けられて排水されるので、収納箱２の内部に水が浸入することがより抑制される。
【００４０】
また、本実施形態の蓄電システム１０は、蓄電池モジュール１０１と、蓄電池モジュール１０１の充放電を制御する充放電装置１０２と、キャビネット１とを備える。キャビネット１は、一面（前面）に開口部３００が形成され蓄電池モジュール１０１及び充放電装置１０２を収納する金属製の収納箱２、及び開口部３００を覆う金属製の蓋５を有する。そして、キャビネット１は、収納箱２に設けられたねじ孔（貫通孔４３）に、蓋５に設けられたねじ貫通孔（貫通孔７４）を介してねじ９が結合することで、収納箱２に蓋５が取り付けられる。収納箱２は、蓋５との対向面から突出する第１導電部（鍔部４２）を有し、第１導電部（鍔部４２）は、ねじ９を通す第１挿通孔（貫通孔７４）を有する。また、蓋５は、収納箱２との対向面から突出する第２導電部（第１鍔部７１）を有し、第２導電部（第１鍔部７１）は、ねじ９を通す第２挿通孔（貫通孔７４）を有する。そして、収納箱２に蓋５が取り付けられることで、第１導電部（鍔部４２）と第２導電部（第１鍔部７１）とが互いに接触し、収納箱２と蓋５とが電気的に接続される。
【００４１】
上記構成により、蓋５を収納箱２に取り付けた状態では、収納箱２と蓋５との接触部である鍔部４２及び第１鍔部７１が露出しないように構成される。したがって、鍔部４２と第１鍔部７１との間に異物などが挟まれることが抑制され、鍔部４２と第１鍔部７１との接触不良が抑制される。これにより、収納箱２と蓋５との間における導通の信頼性が向上する。また、蓄電池モジュール１０１、及び充放電装置１０２は、比較的大きい電力を取り扱う装置である。したがって、収納箱２と蓋５とを導通させる必要性が高く、収納箱２と蓋５との間における導通の信頼性が高い本実施形態のキャビネット１を用いることによる効果がより大きくなる。
【００４２】
なお、本実施形態では、第１接触部材４と箱本体３とが異なる部材で構成されているが、第１接触部材４と箱本体３とが一体に構成されていてもよい。また、第１接触部材４は、ねじ孔と第１挿通孔とを一体にした貫通孔４３が形成された筒部４１と、第１導電部を構成する鍔部４２とを有する構成であるが、この構成に限定しない。例えば、図４に示すように、第１接触部材４Ａは、第１挿通孔４５を有するリング状の第１導電部４４を備える構成であってもよい。この場合、第１接触部材４Ａは、第１挿通孔４５と、箱本体３のフランジ３０２に形成されたねじ孔３０６とが重なるように、フランジ３０２の前面に取り付けられる。
【００４３】
また、第２接触部材７と蓋本体６とが異なる部材で構成されているが、第２接触部材７と蓋本体６とが一体に構成されていてもよい。また、第２接触部材７は、ねじ貫通孔と第２挿通孔とを一体にした貫通孔７４が形成された筒部７３と、第２導電部を構成する第１鍔部７１とを有する構成であるが、この構成に限定しない。例えば、図４に示すように、第２接触部材７Ａは、第２挿通孔７６を有するリング状の第２導電部７５を備える構成であってもよい。この場合、第２接触部材７Ａは、第２挿通孔７６と、蓋本体６の前板部６１に形成されたねじ貫通孔６４とが重なるように、前板部６１の後面に取り付けられる。
【符号の説明】
【００４４】
１  キャビネット
１０蓄電システム
１００  電気装置
１０１  蓄電池モジュール
１０２  充放電装置
２  収納箱
３  箱本体
３００  開口部
３０２  フランジ
３０６  ねじ孔
４、４Ａ  第１接触部材
４２  鍔部（第１導電部）
４３  貫通孔（ねじ孔、第１挿通孔）
４４  第１導電部
４５  第１挿通孔
５  蓋
６  蓋本体
６４  ねじ貫通孔
７、７Ａ  第２接触部材
７１  第１鍔部（第２導電部）
７２  第２鍔部
７３  筒部
７４  貫通孔（ねじ貫通孔、第２挿通孔）
７５  第２導電部
７６  第２挿通孔
８  パッキン
８１  導電部貫通孔
【図１】
2016219631.tif 000003
【図２】
2016219631.tif 000004
【図３】
2016219631.tif 000005
【図４】
2016219631.tif 000006